(57)【要約】【課題】衛生管理、紫外線や電磁波等の管理が容易に点滴バッグを全体的に被覆でき、また、点滴バッグの液剤につき種類の確認を容易にでき、しかも、外面を視覚的に有効な広告宣伝の範囲となし得る点滴バッグの吊ケースを提供する。【解決手段】横の口合わせ間に点滴バッグを吊り納め得る浅箱形の身と蓋とからなり、その一方の内面に点滴バッグの内部吊り下げ用の突竿が突設され、身と蓋との上端には二つ合わせとなる吊紐通しの吊片が起立して設けられ、両側と下端には身と蓋との閉じを保持するための結合装置を設け、また、下端の中央に点滴バッグの輸液口としてのチューブの通し口を設け、身と蓋との両方又は一方の幅前面には、内部に吊り下げられる点滴バッグが見えるように窓孔を設けるとともに、広告宣伝をなす視覚範囲を設けた。【選択図】    図１
2016036415.tif 000002
【特許請求の範囲】
【請求項１】
横の口合わせ間に点滴バックを吊り納め得る浅箱形の身と蓋とからなり、その一方の内面に点滴バックの内部吊り下げ用の突竿が突設され、身と蓋との上端には二つ合わせとなる吊紐通しの吊片が起立して設けられ、両側と下端には身と蓋との閉じを保持するための結合装置を設け、また、下端の中央に点滴バックの輸液口としてのチューブの通し口を設け、身と蓋との両方又は一方の幅前面には、内部に吊り下げられる点滴バックが見えるように窓孔を設けるとともに、広告宣伝をなす視覚範囲を設けたことを特徴とする点滴バックの吊ケース。
【請求項２】
左右結合装置は、身と蓋との一方の口部外面に逆止爪を突設し、他方の口部外面には逆止爪に弾性変形を伴って係る弾性掛止片を突設してなることを特徴とする請求項１記載の点滴バックの吊ケース。
【請求項３】
下端結合装置は、身と蓋との下端部内面に互いに接合する凸部台を形成し、一方の凸部台にホゾを、他方の凸部台にホゾ孔をそれぞれ設けたことを特徴とする請求項１又は２記載の点滴バックの吊ケース。
【発明の詳細な説明】
【技術分野】
【０００１】
この発明は、点滴（輸液ともいう）の際に、点滴バックを納めて吊り下げることのできるようにした点滴バックの吊ケースに関する。
【背景技術】
【０００２】
点滴は、輸液が充填されている点滴バックを支柱に吊り下げて行うもので、点滴装置を介して適量に制限された輸液が点滴針で患者に注入される。一般的に、点滴バックは、露出したまま裸で主柱から吊り下げられるが、輸液の品質を保持するためにＵＶカット仕様の輸液カバーCで包んだ状態で吊り下げられることがあった。従来、点滴バックを箱（ケース）で被覆するという考えはなかった。
【０００３】
輸液バックBは、形状が様々であるが、代表的なものを本発明の説明図を参照して説明すると、一般的にプラスチックフィルムからなる袋状であって、例えば、上端に幅広いシール部片２６を有し(図１)、それに掛止孔２８が開けられているので、使用する場合には、支柱から下がっているフック等に掛止孔を掛けることにより吊り下げられていた。
【０００４】
いずれにしても点滴経路の複雑な組合せの中の点滴バックBに輸液カバーCを組み合わせることは容易でなく、輸液カバーCは、平たい封筒状の形で、使用するには開くとともに閉じる必用があるが、点滴バックの全体が包まれるようにすることは困難を伴う作業であった。
【０００５】
輸液カバーCの材質については、例えば、外面がＰＥＴ（ポリエチレンテレフタラート）であり、内面がＰＥ（ポリエチレン）、γ線滅菌剤入りであって、特長としては、ＵＶカットの遮光仕様であり、ビタミン剤、抗がん剤などに影響のある紫外線を除去する機能を有するものが一般的であった。
【発明の概要】
【発明が解決しようとする課題】
【０００６】
従来、輸液の品質を保持するために輸液カバーで点滴バックを被覆することはあったが、装着が容易ではなく、殊に密閉処理が難しく、取付けに手数が掛かるという問題があった。また、点滴バックは液で膨大しているので、輸液カバーで包んだ状態では、輸液カバーの表面に凹凸状に皺模様ができるので、内部の点滴バックの液剤の種類が表示してあっても、それを透しに視覚しがたく液剤の確認が容易でなく、また、外面に宣伝用に印刷が施してあっても、印刷が識別し難く、宣伝効果が十分に得られないという問題もあった。
【０００７】
この発明は、上記のような実情に鑑みて、衛生管理、紫外線や電磁波等の管理が容易に点滴バックを全体的に被覆でき、また、点滴バックの液剤につき種類の確認を容易にでき、しかも、外面を視覚的に有効な広告宣伝の範囲となし得る点滴バックの吊ケースを提供することを課題とした。
【課題を解決するための手段】
【０００８】
上記の課題を解決するために、この発明は、横の口合わせ間に点滴バックを吊り納め得る浅箱形の身と蓋とからなり、その一方の内面に点滴バックの内部吊り下げ用の突竿が突設され、身と蓋との上端には二つ合わせとなる吊紐通しの吊片が起立して設けられ、両側と下端には身と蓋との閉じを保持するための結合装置を設け、また、下端の中央に点滴バックの輸液口としてのチューブの通し口を設け、身と蓋との両方又は一方の幅前面には、内部に吊り下げられる点滴バックが見えるように窓孔を設けるとともに、広告宣伝をなす視覚範囲を設けたことを特徴とする点滴バックの吊ケースを提供する。
【０００９】
点滴バックの吊ケースを上記のように構成したから、使用するときには、突竿に点滴バックの掛止孔を掛けた状態で、身と蓋とを結合すると、両方の吊片が合わさるので、合体した吊片に紐やフック等を掛けて支柱に吊り下げ、また、下端には輸液チューブを出してそれに点滴装置を連結する。こうして吊り下げると、視覚しやすい高さ位置において平滑面の視覚範囲があるため、ここに表される宣伝広告の効果が確実に得られる。また、窓孔からは点滴バックの溶剤の種類等が分かって吊り下げのまま確認がなされ得る。
【発明の効果】
【００１０】
以上説明したように、この発明の点滴バックの吊ケースによれば、身と蓋とで点滴バックに被着する作業が容易であり、また、外面を視覚的に有効な広告宣伝の範囲となし得るため、例えば訪問医療行為について宣伝効果が得られ、また、輸液の品質を保持するために紫外線や電磁波等の遮蔽効果を確実に高めることもでき、さらに、埃や雑菌等から保護できるばかりでなく、輸液の温度の適正を保持できる等の優れた効果がある。
【図面の簡単な説明】
【００１１】
【図１】この発明の点滴バックの吊ケースを示す分解斜視図である。
【図２】同点滴バックの吊ケースの使用状態を示す斜視図である。
【図３】同点滴バックの吊ケースの幅中央で示す縦断面図である。
【図４】図３の下端部であって、幅中央から外れた（ホゾとホゾ孔の）位置で示す拡大縦断面図である。
【図５】従来から使用されている輸液カバーの一例を示す平面図である。
【発明を実施するための形態】
【００１２】
この発明の点滴バックの吊ケースPは、プラスチックの成形品として量産できるが、箱体としての構造や素材から、製造過程において、樹脂に対する混合剤、複合材等の選択をすることにより高いUV遮蔽性、電磁波遮蔽性、殺菌性等を付与できる。
【実施例】
【００１３】
図面は、一実施例を示したもので、その点滴バックの吊ケースＰは、横に開閉する横箱型であって、それぞれプラスチックで成形された身１とそれに横から被さるように嵌る蓋３とからなり、身１と蓋３の上端に互いに接合する紐通しの吊片５，６が突設される。また、両側面と下端中央に身１と蓋３の結合装置７，７，８が設けられる。
【００１４】
そのうち、両側部結合装置７、７は、弾性掛止片１１と逆止爪１３とが対となるもので、弾性掛止片１１は、ループを矩形に変形した枠状であって、蓋３の口部外面に添えるようにして基端が突設される。また、逆止爪１３は、弾性掛止片１１の先端内面に掛かるよう身１の口部外面に突設されるもので、弾性掛止片１１が迎え入れられるよう逃げ角の傾斜面が形成される。
【００１５】
下端結合装置８は、身１と蓋３との下端中央内面に肉厚となるように相互に接合する凸部台１９，２０を突設してなるもので、両凸部台１９，２０の相対向接合面に、左右一対ずつホゾ２１，２１とホゾ孔２２，２２が設けられる（図４）。なお、身１と蓋３とが相互に嵌るよう蓋３では凸部台２２が低く形成される。また、両方の凸部台１９，２０には点滴バック１５の輸液口２３を通す孔の略半孔２３a、２３ｂが形成される。また、蓋３の内面には、点滴バックBを吊り下げるために蓋１方向に出る突竿２５が突設される。
【００１６】
そこで、点滴バックＢを支柱に吊り下げる場合には、突竿２５に上端の掛止孔２８を通して掛けながら、下端ではホゾ２１，２１をホゾ孔２２，２２に嵌め込みつつ、身１と蓋３とを口合わせに嵌めると、身１の逆止爪１３，１３に弾性掛止片１１，１１がその上を通過して引っ掛かり、これで両側がロック状態となる。
【００１７】
一方、上端では吊片５，６が合わさるので、それに吊紐２９などを掛け止める。そうすると、吊りの重みで両吊片５，６の接合が保持されるから、結局、身１と蓋３とが上下、左右で止められる極めて安定した身１と蓋３との結合状態及び吊り状態となる。
【００１８】
なお、吊ケースＰを開けるには、吊紐２９から下した状態において上端を開放し、弾性掛止片１１を持ち上げながら逆止爪１３から外しながら左右も自由にしながら、ホゾ２１，２１とホゾ孔２２，２２を外すことで、上下左右を全面的に解放することができる。
【符号の説明】
【００１９】
Ｐ  点滴バックの吊ケース
Ｂ  点滴バック
１  身
３  蓋
５，６  吊片
７，８  結合装置
１１  弾性掛止片
１３  逆止爪
１９，２０  凸部台
２１  ホゾ
２２  ホゾ孔
２３  輸液口
２３ａ，２３ｂ  半孔
２４  窓孔
２９  吊紐
３０  範囲
２５  突竿
【図１】
2016036415.tif 000003
【図２】
2016036415.tif 000004
【図３】
2016036415.tif 000005
【図４】
2016036415.tif 000006
【図５】
2016036415.tif 000007
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
横の口合わせ間に点滴バッグを吊り納め得る浅箱形の身と蓋とからなり、その一方の内面に点滴バッグの内部吊り下げ用の突竿が突設され、身と蓋との上端には二つ合わせとなる吊紐通しの吊片が起立して設けられ、両側と下端には身と蓋との閉じを保持するための結合装置を設け、また、下端の中央に点滴バッグの輸液口としてのチューブの通し口を設け、身と蓋との両方又は一方の幅前面には、内部に吊り下げられる点滴バッグが見えるように窓孔を設けるとともに、広告宣伝をなす視覚範囲を設けたことを特徴とする点滴バッグの吊ケース。
【請求項２】
左右結合装置は、身と蓋との一方の口部外面に逆止爪を突設し、他方の口部外面には逆止爪に弾性変形を伴って係る弾性掛止片を突設してなることを特徴とする請求項１記載の点滴バッグの吊ケース。
【請求項３】
下端結合装置は、身と蓋との下端部内面に互いに接合する凸部台を形成し、一方の凸部台にホゾを、他方の凸部台にホゾ孔をそれぞれ設けたことを特徴とする請求項１又は２記載の点滴バッグの吊ケース。
【手続補正２】
【補正対象書類名】明細書
【補正対象項目名】全文
【補正方法】変更
【補正の内容】
【発明の詳細な説明】
【技術分野】
【０００１】
この発明は、点滴（輸液ともいう）の際に、点滴バッグを納めて吊り下げることのできるようにした点滴バッグの吊ケースに関する。
【背景技術】
【０００２】
点滴は、輸液が充填されている点滴バッグを支柱に吊り下げて行うもので、点滴装置を介して適量に制限された輸液が点滴針で患者に注入される。一般的に、点滴バッグは、露出したまま裸で主柱から吊り下げられるが、輸液の品質を保持するためにＵＶカット仕様の輸液カバーCで包んだ状態で吊り下げられることがあった。従来、点滴バッグを箱（ケース）で被覆するという考えはなかった。
【０００３】
輸液バッグBは、形状が様々であるが、代表的なものを本発明の説明図を参照して説明すると、一般的にプラスチックフィルムからなる袋状であって、例えば、上端に幅広いシール部片２６を有し(図１)、それに掛止孔２８が開けられているので、使用する場合には、支柱から下がっているフック等に掛止孔を掛けることにより吊り下げられていた。
【０００４】
いずれにしても点滴経路の複雑な組合せの中の点滴バッグBに輸液カバーCを組み合わせることは容易でなく、輸液カバーCは、平たい封筒状の形で、使用するには開くとともに閉じる必用があるが、点滴バッグの全体が包まれるようにすることは困難を伴う作業であった。
【０００５】
輸液カバーCの材質については、例えば、外面がＰＥＴ（ポリエチレンテレフタラート）であり、内面がＰＥ（ポリエチレン）、γ線滅菌剤入りであって、特長としては、ＵＶカットの遮光仕様であり、ビタミン剤、抗がん剤などに影響のある紫外線を除去する機能を有するものが一般的であった。
【発明の概要】
【発明が解決しようとする課題】
【０００６】
従来、輸液の品質を保持するために輸液カバーで点滴バッグを被覆することはあったが、装着が容易ではなく、殊に密閉処理が難しく、取付けに手数が掛かるという問題があった。また、点滴バッグは液で膨大しているので、輸液カバーで包んだ状態では、輸液カバーの表面に凹凸状に皺模様ができるので、内部の点滴バッグの液剤の種類が表示してあっても、それを透しに視覚しがたく液剤の確認が容易でなく、また、外面に宣伝用に印刷が施してあっても、印刷が識別し難く、宣伝効果が十分に得られないという問題もあった。
【０００７】
この発明は、上記のような実情に鑑みて、衛生管理、紫外線や電磁波等の管理が容易に点滴バッグを全体的に被覆でき、また、点滴バッグの液剤につき種類の確認を容易にでき、しかも、外面を視覚的に有効な広告宣伝の範囲となし得る点滴バッグの吊ケースを提供することを課題とした。
【課題を解決するための手段】
【０００８】
上記の課題を解決するために、この発明は、横の口合わせ間に点滴バッグを吊り納め得る浅箱形の身と蓋とからなり、その一方の内面に点滴バッグの内部吊り下げ用の突竿が突設され、身と蓋との上端には二つ合わせとなる吊紐通しの吊片が起立して設けられ、両側と下端には身と蓋との閉じを保持するための結合装置を設け、また、下端の中央に点滴バッグの輸液口としてのチューブの通し口を設け、身と蓋との両方又は一方の幅前面には、内部に吊り下げられる点滴バッグが見えるように窓孔を設けるとともに、広告宣伝をなす視覚範囲を設けたことを特徴とする点滴バッグの吊ケースを提供する。
【０００９】
点滴バッグの吊ケースを上記のように構成したから、使用するときには、突竿に点滴バッグの掛止孔を掛けた状態で、身と蓋とを結合すると、両方の吊片が合わさるので、合体した吊片に紐やフック等を掛けて支柱に吊り下げ、また、下端には輸液チューブを出してそれに点滴装置を連結する。こうして吊り下げると、視覚しやすい高さ位置において平滑面の視覚範囲があるため、ここに表される宣伝広告の効果が確実に得られる。また、窓孔からは点滴バッグの溶剤の種類等が分かって吊り下げのまま確認がなされ得る。
【発明の効果】
【００１０】
以上説明したように、この発明の点滴バッグの吊ケースによれば、身と蓋とで点滴バッグに被着する作業が容易であり、また、外面を視覚的に有効な広告宣伝の範囲となし得るため、例えば訪問医療行為について宣伝効果が得られ、また、輸液の品質を保持するために紫外線や電磁波等の遮蔽効果を確実に高めることもでき、さらに、埃や雑菌等から保護できるばかりでなく、輸液の温度の適正を保持できる等の優れた効果がある。
【図面の簡単な説明】
【００１１】
【図１】この発明の点滴バッグの吊ケースを示す分解斜視図である。
【図２】同点滴バッグの吊ケースの使用状態を示す斜視図である。
【図３】同点滴バッグの吊ケースの幅中央で示す縦断面図である。
【図４】図３の下端部であって、幅中央から外れた（ホゾとホゾ孔の）位置で示す拡大縦断面図である。
【図５】従来から使用されている輸液カバーの一例を示す平面図である。
【発明を実施するための形態】
【００１２】
この発明の点滴バッグの吊ケースPは、プラスチックの成形品として量産できるが、箱体としての構造や素材から、製造過程において、樹脂に対する混合剤、複合材等の選択をすることにより高いUV遮蔽性、電磁波遮蔽性、殺菌性等を付与できる。
【実施例】
【００１３】
図面は、一実施例を示したもので、その点滴バッグの吊ケースＰは、横に開閉する横箱型であって、それぞれプラスチックで成形された身１とそれに横から被さるように嵌る蓋３とからなり、身１と蓋３の上端に互いに接合する紐通しの吊片５，６が突設される。また、両側面と下端中央に身１と蓋３の結合装置７，７，８が設けられる。
【００１４】
そのうち、両側部結合装置７、７は、弾性掛止片１１と逆止爪１３とが対となるもので、弾性掛止片１１は、ループを矩形に変形した枠状であって、蓋３の口部外面に添えるようにして基端が突設される。また、逆止爪１３は、弾性掛止片１１の先端内面に掛かるよう身１の口部外面に突設されるもので、弾性掛止片１１が迎え入れられるよう逃げ角の傾斜面が形成される。
【００１５】
下端結合装置８は、身１と蓋３との下端中央内面に肉厚となるように相互に接合する凸部台１９，２０を突設してなるもので、両凸部台１９，２０の相対向接合面に、左右一対ずつホゾ２１，２１とホゾ孔２２，２２が設けられる（図４）。なお、身１と蓋３とが相互に嵌るよう蓋３では凸部台２２が低く形成される。また、両方の凸部台１９，２０には点滴バッグ１５の輸液口２３を通す孔の略半孔２３a、２３ｂが形成される。また、蓋３の内面には、点滴バッグBを吊り下げるために蓋１方向に出る突竿２５が突設される。
【００１６】
そこで、点滴バッグＢを支柱に吊り下げる場合には、突竿２５に上端の掛止孔２８を通して掛けながら、下端ではホゾ２１，２１をホゾ孔２２，２２に嵌め込みつつ、身１と蓋３とを口合わせに嵌めると、身１の逆止爪１３，１３に弾性掛止片１１，１１がその上を通過して引っ掛かり、これで両側がロック状態となる。
【００１７】
一方、上端では吊片５，６が合わさるので、それに吊紐２９などを掛け止める。そうすると、吊りの重みで両吊片５，６の接合が保持されるから、結局、身１と蓋３とが上下、左右で止められる極めて安定した身１と蓋３との結合状態及び吊り状態となる。
【００１８】
なお、吊ケースＰを開けるには、吊紐２９から下した状態において上端を開放し、弾性掛止片１１を持ち上げながら逆止爪１３から外しながら左右も自由にしながら、ホゾ２１，２１とホゾ孔２２，２２を外すことで、上下左右を全面的に解放することができる。
【符号の説明】
【００１９】
Ｐ  点滴バッグの吊ケース
Ｂ  点滴バッグ
１  身
３  蓋
５，６  吊片
７，８  結合装置
１１  弾性掛止片
１３  逆止爪
１９，２０  凸部台
２１  ホゾ
２２  ホゾ孔
２３  輸液口
２３ａ，２３ｂ  半孔
２４  窓孔
２９  吊紐
３０  範囲
２５  突竿